(57)【要約】【課題】    本発明の目的は、洗面カウンターのような重量物の包装材に関するもので、組立工数がアップすることがなく、包装材料費もアップすることもなく、輸送途中に揺動することが発生しない包装材に関するものである。【解決手段】    洗面カウンター７０への外部からの衝撃を緩和する為の段ボール製の包装材であって、外装箱５０の中に前記洗面カウンター７０を揺動不可に固定する底台１０と、前記底台１０に載置された前記洗面カウンター７０を更に上面から押さえつけるとともに外部からの衝撃を緩和する押え部材３０と、両側面緩衝材４０とからなり、前記底台１０は１枚の略矩形シート１００から組み立てられるもので、さらに前記押え部材３０は略矩形シート３００から組み立てられるもので、両端部に差込孔３２、３４と折曲罫線３５aをそれぞれ備えた略矩形の側壁片３５を設け、箱型とし揺動不可に固定する【選択図】      図１
2005280814.tif 000002
【特許請求の範囲】
【請求項１】
洗面カウンター７０への外部からの衝撃を緩和する為の段ボール製の包装材であって、外装箱５０の中に前記洗面カウンター７０を揺動不可に固定する底台１０と、前記底台１０に載置された前記洗面カウンター７０を更に上面から押さえつけるとともに外部からの衝撃を緩和する押え部材３０と、両側面緩衝材４０とからなり、前記底台１０は１枚の略矩形シート１００から組み立てられるもので、さらに前記押え部材３０は略矩形シート３００から組み立てられるもので、両端部に差込孔３２、３４と折曲罫線３５aをそれぞれ備えた略矩形の側壁片３５を設け、箱型とし揺動不可に固定する事を特徴とする洗面カウンターの包装材。
【請求項２】
前記底台１０は１００の両側に設けた両側端板１に差込孔４、バック切欠孔７と３条の折曲罫線１ａを順次所定間隔に隔てて設け、１対の両幅板２の両端には差込孔３、９をそれぞれ設けるとともに折曲罫線２aが前記１対の両幅板２を切起可能に設けてあり、同時に幅板２は切欠孔１２によって側端板１から部分的に分離されており、さらに前記略矩形シート１００の略中央部には、２条の切込み線６と２条の折曲罫線５ａを設けた切起片８に囲まれた前記洗面カウンター７０の補助部材６０を収納する収納孔５が設けられてあり、さらに前記押え部材３０は前記略矩形シート３００の中央部分には２条の折曲罫線３０ａを設け、側板３６の一部にはエプロン切欠孔３８をそれぞれ設け、前記エプロン切欠孔３８の一辺は前記側板３６の端部まで延長した切欠線３７をそれぞれ設け、さらに他方の端部に設けた差込孔３３を通って前記エプロン切欠孔３８に達する２条の折曲罫線３６aが設けられており、さらに前記差込孔３３の反対側の端部に差込孔３１を設けた補助側板３９が設けられ、前記差込孔３１を通って２条の折曲罫線３９ａが折曲罫線３０ａから距離が離れて前記折曲罫線３６aが平行移動するような形に設けたことを特徴とする請求項１記載の洗面カウンターの包装材。
【請求項３】
前記外装箱５０は、必要に応じて複数個の底台１０を内接して収納するとともに、前記押え部材３０を複数個収納することを特徴とする請求項１または２記載の洗面カウンターの包装材。
【請求項４】
前記両側面緩衝材４０は、前記洗面カウンター７０の側面側を保護するように略矩形シートを略長方形に折り曲げその一部に手掛孔を設けたものであることを特徴とする請求項１または２記載の洗面カウンターの包装材。
【請求項５】
底台１０と、押え部材３０が止め金具の固定や糊付けをしていないことを特徴とする請求項１または２記載の洗面カウンターの包装材。
【発明の詳細な説明】
【技術分野】
【０００１】
本発明は、いわゆる洗面台のカウンターや台所のシステムキッチンのカウンターのように、例えば人工大理石のような樹脂製の洗面カウンターを搬送するための包装材に関するものである。
【背景技術】
【０００２】
従来、人工大理石による洗面カウンターの包装材では、内挿材は強度を確保するためにステッチ等の止め金具や糊付け等で固定・組立られており、さらに同梱部材である施工用の補助部材は外装箱と内挿材の隙間に適宜収納していた。一方、衛生陶器のクッション材として、一対の長芯材と短芯材で井桁状に構成し、組み合されたものを外装材で折り曲げて包囲したクッション材があり（例えば特許文献１参照）、更に、洗面カウンターの緩衝材として、枠状に形成された段ボール紙に、カウンターのバックガード又はエプロンのいずれかが嵌め込まれる溝部が形成されている緩衝材がある（例えば特許文献２参照）。
【０００３】
【特許文献１】特開平０８−０９１４４０号公報
【特許文献２】実開平０５−０６５８８８号公報
【発明の開示】
【発明が解決しようとする課題】
【０００４】
しかしながら、上記従来の技術の内挿材は、止め金具や糊付けすることで組立てられていたため、その内挿材の組立工数がアップし包装材全体としてコストアップになるという問題があった。
そして、洗面カウンターの形状によっては多数、多種の内挿材が必要で、重量が増えることや包装材料費がアップするという問題があった。
また、特許文献１の場合は、複数の部材で構成されていて、単なるクッション材であり梱包物の固定機能はなく、搬送中の梱包物の揺動は避けられないという問題があった。
一方、特許文献２の場合は、エプロン等を嵌め込む溝部を形成しているが、外装箱と密接することが困難で、従ってカウンターを強固に固定することが出来なく、搬送中の梱包物の揺動は避けられず、正面から見て、平行四辺形の形で変形することが容易に予想される。
更に、使用済みの内挿材は、止め金具固定や糊付けしていて、発泡スチロールなどの他種の部材が混在しており、リサイクルが困難であるという問題もあった。
【０００５】
近年、コンピュータ等の梱包材として、内挿材において止め金具や糊付け等を行わず、しかも、発泡スチロールなどの他種の部材を用いず、折曲罫線、切欠孔、切込線、差込孔等により、ダンボールを内挿材とする場合がある。
しかしながら、人工大理石による洗面カウンターでは、重量が約１００キログラム、長さが４メートルあり、このような製品の内挿材としては不適切である。
【０００６】
本発明の目的は、洗面カウンターのような重量物の包装材に関するもので、組立工数がアップすることがなく、包装材料費もアップすることもなく、輸送途中に揺動することが発生しない包装材に関するものである。
【課題を解決するための手段】
【０００７】
上記課題を達成するために、本発明は、外装箱５０の中に洗面カウンター７０を揺動不可に固定する底台１０と、底台１０に載置された洗面カウンター７０を更に上面から押さえつけるとともに外部からの衝撃を緩和する押え部材３０と、側面緩衝材４０とからなり、底台１０は１枚の略矩形シート１００から組み立てられるもので、その両側に設けた両側端板１に差込孔４、バック切欠孔７と３条の折曲罫線１ａを順次所定間隔に隔てて設け、１対の両幅板２の両端には差込孔３、９をそれぞれ設けるとともに折曲罫線２aが１対の両幅板２を切起可能に設けてあり、さらに略矩形シート１００の略中央部には、２条の切込み線６と２条の折曲罫線５ａを設けた切起片８に囲まれた洗面カウンター７０の補助部材６０を収納する収納孔５が設けられてあり、さらに押え部材３０は略矩形シート２００の両端部に差込孔３２、３４と折曲罫線３５aをそれぞれ備えた略矩形の側壁片３５を設けるとともに、略矩形シート３００の中央部分には２条の折曲罫線３０ａを設け、側板３６の一部にはエプロン切欠孔３８をそれぞれ設け、エプロン切欠孔３８の一辺は側板３６の端部まで延長した切欠線３７をそれぞれ設け、さらに他方の端部に設けた差込孔３３を通ってエプロン切欠孔３８に達する２条の折曲罫線３６aが設けられており、さらに差込孔３３の対向する側の端部に差込孔３１を設けた補助側板３９が設けられ、差込孔３１を通って折曲罫線３９ａが折曲罫線３０ａから距離が離れて折曲罫線３６aが平行移動するような形に設けたことを特徴とする。
また、外装箱５０は、必要に応じて複数個の底台１０を内接して収納するとともに、押え部材３０を複数個収納することを特徴とする。
さらに、側面緩衝材４０は、洗面カウンター７０の側面側を保護するように略矩形シートを略長方形に折り曲げその一部に手掛孔を設けたものであることを特徴とする。
【発明の効果】
【０００８】
このように本発明の洗面カウンターの包装材は、内挿材として、洗面カウンター７０を揺動不可に固定する底台１０と、底台１０に載置された洗面カウンター７０を更に上面から押さえつけるとともに外部からの衝撃を緩和する押え部材３０と、側面緩衝材４０とからなり、底台１０、押え部材３０および側面緩衝材４０は１枚の略矩形シートから組み立てられるもので以下の効果を奏する。
（ａ）１枚の略矩形シートに切欠孔、切欠部、差込孔および折曲罫線を予め設けてあるから、必要に応じてワンタッチで容易に組み立てることができるとともに、使用済みの内挿材は当初の１枚の略矩形シートに戻すことができるから、包装材の運搬、保管、管理が極めて容易になる。
（ｂ）洗面カウンターの形状にかかわらず内挿材の種類を押えることができ、内挿材の重量が増えることや包装材料費がアップすることを抑えることができる。
（ｃ）止め金具固定や糊付けをおらず、且つ発泡スチロールなどの他種の部材を使用していないため、内挿材の組立工数がアップしたり、包装材全体としてコストアップになることも防ぐことができる。
（ｄ）使用済みの内挿材は、止め金具固定や糊付けをしておらず、且つ発泡スチロールなどの他種の部材が混在せず、リサイクルが容易である。
（ｅ）補助部材を収納する収納孔を設けてあるから同梱部材の梱包忘れなどのエラーを防ぐことができる。
【発明を実施するための最良の形態】
【０００９】
以下、本発明の第１実施例を図面に基づいて説明する。第１実施例は全長寸法が１２５０ミリメートルを超える洗面カウンター７０の梱包に関するものであって、図１は梱包に使用される外装箱、内挿材の構成を示す分解斜視図である。ここで外装箱５０は強化段ボール等を折り曲げ、ステッチ等で止めて組み立てられた周知の外装箱５０で、この外装箱５０の内部に１枚の略矩形シート１００に折曲罫線、切欠孔、切込線、差込孔を適宜加工したものを折り曲げて嵌合させた底台１０を複数個挿入し、その底台１０の中央部に略矩形シート１００の一部を折り曲げで形成された収納孔５の中に、同梱部材である補助部材６０を複数個挿入しておいて、そして、底台１０の上に洗面カウンター７０をカウンター面７１が裏返しになるようにして載置し、洗面カウンター７０の両端部と外装箱５０の間に側面緩衝材４０を挿入し、更に、洗面カウンター７０の上に、１枚の略矩形シート３００に折曲罫線、切欠孔、切込線、差込孔を加工したものを折り曲げて嵌合させた押え部材３０を複数個載置することで構成されている。
【００１０】
ここで底台１０の構成について説明する。図２は本発明第１実施例の底台の展開状態を示す平面図であり、図３は底台の組立過程を示す斜視図である。ここでは１枚の略矩形シート１００に段ボールシートを使用している。略矩形シート１００の左右（この図面では、以下同じ）両側端板１に差込孔４、バック切欠孔７を設け、両側端板１をそれぞれ三分割するように３条の折曲罫線１ａを順次設け、上下両幅板２のそれぞれの両端に差込孔３を設ける。更に幅板２には側端板１から部分的に分離可能に切欠孔１２が設けられている。そして略矩形シート１００の中央部には２条の切込線６と２条の折曲罫線５ａを設けた切起片８に囲まれた洗面カウンター７０の補助部材６０を収納する収納孔５が設けてある。
ここで、図２の右上において、ダンボールの目の方向を示す。このように荷重を受ける方向に対して鉛直方向にダンボールの目を設けたので、受ける荷重を容易に分散することができる。
【００１１】
つぎにこの底台１０の組み立て方に付いて説明する。先ず、上下両幅板２を折曲罫線２ａに沿って谷折りしておき、次に左右両側端板１に設けた折曲罫線１ａに沿って夫々順次谷折り曲げて両幅板２に有する差込孔３に両側端板１に設けた差込孔４を嵌合することにより図３に示したように底台１０が形成される。外装箱５０に底台１０を挿入する際には、図３に表示された状態と表裏逆向きに挿入し、同梱部材である補助部材６０を入れる収納孔５には折曲罫線５ａに沿って山折り曲げ癖を付けておく。このように１枚の段ボールシートから折曲されて、極めて簡単、迅速に底台１０を折り上げることができる。
【００１２】
底台１０は、洗面カウンター７０のタイプ又は形状により奥行寸法の異なるものを数種類と幅寸法の異なるものを数種類準備しておき、その種類によって外装箱５０を選定し、内挿材である底台１０はその外装箱５０に収まるよう複数個組合せすることにより配置出来る。このようにして種々な組合せが選択でき、幅、長さ寸法の異なる洗面カウンター７０の包装仕様に容易に迅速に対応でき、包装材の在庫や保管の煩わしさを解消することができる。また、底台１０を略□形状とし、しかも複数個並べるこよにより、洗面カウンター７０の荷重を分散し、受けることができる。
【００１３】
次に、図１に示したように、洗面カウンター７０はカウンター面７１を裏返しにしてバック７２を底台１０に形成されたバック切欠孔７に嵌合するように底台１０に載置される。このようにすることで比較的変形や破損を起こしやすいバック７２を確実、容易に保持することができる。さらに側面緩衝材４０を両側にそれぞれ挿入する。図６は側面緩衝材の斜視図である。この側面緩衝材４０は１枚の段ボールシートから略長方形に折曲されたもので、必要に応じて外装箱５０に合わせて手掛孔４１が設けられている。  ここで、図６の左下において、ダンボールの目の方向を示す。このように荷重を受ける方向に対して鉛直方向にダンボールの目を設けたので、受ける荷重を容易に分散することができる。
なお、ここでは２枚の側面緩衝材４０を使用しているが、洗面カウンター７０の形状によっては外装箱５０との隙間を埋めるように複数枚使用してもいい。
【００１４】
次に、上面から押さえつけるとともに外部からの衝撃を緩和する複数個の押え部材３０をエプロン７３に嵌込するように配置する。
ここで押え部材３０について図４、５に基づいて説明する。図４は、本発明一実施例の押え部材の展開状態を示す平面図であり、図５は本発明一実施例の押え部材の折曲過程を示す斜視図である。ここでも略矩形シート３００に段ボールシートを使用している。この段ボールシートの左右両端部に差込孔３２、３４と折曲罫線３５ａをそれぞれ備えた略矩形の側壁片３５を設けるとともに、略矩形シート３００の中央部分には２条の折曲罫線３０ａを設ける。つぎに上下（この図では、以下同じ）にある２枚の側板３６の一部にはエプロン切欠孔３８を上下方向に設け、そのそれぞれの一辺は側板３６の端部まで延長した切欠線３７を設けてある。このエプロン切欠孔３８には洗面カウンター７０のエプロン７３が嵌込されて強固に保持するのである。また略矩形シート３００の他の端部には差込み片３３をそれぞれ設け、この差込み片３３を通ってエプロン切欠孔３８に達する２条の折曲罫線３６aが設けてある。
ここで、図４の右上において、ダンボールの目の方向を示す。このように荷重を受ける方向に対して鉛直方向にダンボールの目を設けたので、受ける荷重を容易に分散することができる。
【００１５】
さらに差込孔３３に対向する側の端部に差込孔３１を設けた補助側板３９が設けられ、差込孔３１を通って２条の折曲罫線３９ａが折曲罫線３０ａから距離が離れて折曲罫線３６aが平行移動するような形に設けている。この位置に折曲罫線３９ａを設ける理由については後述する。
【００１６】
つぎにこの押え部材３０の組み立て方に付いて説明する。先ず、上下の側板３６に設けた２条の折曲罫線３６ａに沿って谷折りして、それぞれ側板３６が角柱になるよう折曲する。このように折り曲げられた角柱状の２枚の側板３６と２枚の補助側板３９は密着して重ね合せた状態を保持する。ここで左右の側壁片３５に設けた折曲罫線３５aをそれぞれ折曲して、差込孔３１には差込孔３２を、差込孔３３には差込孔３４を夫々嵌合させれば、その折り上がり形状がしっかり固定される。ここで差込孔３１を通って２条の折曲罫線３９ａが折曲罫線３０ａから距離が離れて折曲罫線３６aが平行移動するような形に設けられているのは、図５に示すように折り上がった角柱状の側板３６と補助側板３９に段差が生じるようにするためで、この段差が洗面カウンター７０をさらに一層強固に保持して外装箱内の移動を防ぐことができるのである。
【００１７】
次に本発明の包装箱の組み立て方を図１により詳述する。
外装箱５０を組立て、その後、複数台の底台１０を組立て、前記包装箱５０内に配置する。次に底台１０の収納孔５に付属部品６０を置く。その後、カウンター７０を、上面が下向きになるようにし、該カウンター７０のバック７２が底台１０のバック切欠孔７には嵌りこむようにする。その後、カウンター７０が外装箱５０内を動かないように、側面緩衝材４０を折り、外装箱５０とカウンター７０の間に挿入する。このとき、最も外側の側面緩衝材４０は、底台とカウンター７０との間まで深く入れる。そして、組み立てた押え部材３０を、カウンター７０のエプロン７３に前記押え部材のエプロン切欠孔３８が嵌るように、前記カウンターの補強材の位置に配置する。この後、外装箱５０のフラップを内側に折り、外装箱５０の外側から、押え部材３０の位置にＰＰバンド（図示せず）を巻きつける。
これにより、ＰＰバンドを巻きつけることにより、洗面カウンター７０を底台１０と押え部材３０により、強固に固定することができる。その結果、輸送中に生じる事故を未然に防止することができる。
ここで、複数個の底台１０と外装箱５０との間には、側面緩衝材４０が嵌るたけの隙間しかないように配置しておく。
【００１８】
このようにして洗面カウンター７０は、バック７２が底台１０のバック切欠孔７に嵌込されて保持され、エプロン７３は押え部材３０に設けたエプロン切欠孔３８に嵌込されて保持され、さらにＰＰバンドを外装箱５０の周囲で、しかも押え部材３０の位置に設けることにより、前記洗面カウンターにおける変形・破損しやすい突出片を保護するとともに、押え部材３０の側板３６が角柱状に荷重を受けるので、緩衝機能は十分に高められ、重量が大きい洗面カウンター７０のような重量物でも、搬送中の破損や変形を防ぎ商品価値を損なうことが無くなる。
【００１９】
つぎに本発明の第２実施例を図面に基づいて説明する。図７は第２実施例の底台と底台補強板を嵌合する状態を示す斜視図である。この第２実施例は洗面カウンター７０の全長が比較的短い場合の例で、底台１０に設けられたバック切欠孔７間の距離Ｐ以下の場合には洗面カウンター７０のバック７２がバック切欠孔７に部分的に嵌込されるのみで、強固な保持が期待できない。この場合には、底台１０の中央部にバック切欠孔７を有した底台補強板２０を設けるとよい。この底台補強板２０は１枚の段ボールシートを折り曲げ、その中央部分に収納孔５のスペースを確保するための切欠部２２を設けるとともに、幅板２にそれぞれ設けた差込孔１１に嵌合できる切欠孔２１およびバック切欠孔７を設けてある。この底台補強板２０を幅板２に嵌込することで、洗面カウンター７０の全長が比較的短い場合でも簡単、容易に収納して強固に保持でき、バック７２を保護し緩衝することができる。
なお、以上の説明では、略矩形シートに段ボールシートを使用しているが、これに限定されるものでなく、また、洗面カウンターを例にしているがこれ以外の製品にも適用できることは明らかである。
【００２０】
ここで、ダンボールにおいては、奥行方向に目が揃うように切断しておく。
これにより、矩形形状から平行四辺形になり、ダンボールが潰れる事故を防止することができる。
【産業上の利用可能性】
【００２１】
本発明は、いわゆる洗面台のカウンターや台所のシステムキッチンのカウンターのように、例えば人工大理石のような重量物を梱包し搬送するための包装材に有用である。
【図面の簡単な説明】
【００２２】
【図１】本発明第１実施例の梱包に使用される外装箱、内挿材の構成を示す分解斜視図
【図２】本発明第１実施例の底台の展開状態を示す平面図
【図３】本発明第１実施例の底台の組立過程を示す斜視図
【図４】本発明第１実施例の押え部材の展開状態を示す平面図
【図５】本発明第１実施例の押え部材の折曲過程を示す斜視図
【図６】本発明第１実施例の側面緩衝材の斜視図
【図７】本発明第２実施例の底台と底台補強板を嵌合する状態を示す斜視図
【符号の説明】
【００２３】
１  側端板
２  幅板
３、４、９、１１、２１、３１、３２、３３、３４  差込孔
５  収納孔
６、３７  切込線
７  バック切欠孔
８  切起片
３５  側壁片
３６  側板
３８  エプロン切欠孔
１ａ、２ａ、５ａ、３０ａ、３５ａ、３６ａ、３９ａ  折曲罫線
１０  底台
２０  底台補強板
２２  切欠部
３０  押え部材
３９  補助側板
４０  側面緩衝材
５０  外装箱
６０  補助部材
７０  洗面カウンター
７１  カウンター面
７２  バック
７３  エプロン
１００  底台段ボールシート
３００  押え部材段ボールシート
【図１】
2005280814.tif 000003
【図２】
2005280814.tif 000004
【図３】
2005280814.tif 000005
【図４】
2005280814.tif 000006
【図５】
2005280814.tif 000007
【図６】
2005280814.tif 000008
【図７】
2005280814.tif 000009